【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
ビームフォーミングを使用する無線通信システムにおける端末装置の動作方法において、
基地局からビームフォーミング利得補償情報を受信する過程と、
複数のダウンリンク送信ビームを用いて伝送される基準信号を受信する過程と、
前記受信された基準信号に基づいてチャネル品質情報を測定する過程と、
前記測定されたチャネル品質情報及び前記ビームフォーミング利得補償情報に基づいて有効チャネル品質情報を決定する過程と、を含み、
前記ビームフォーミング利得補償情報は、
前記基準信号の第１ビームフォーミング利得とデータ伝送に対する第２ビームフォーミング利得の間の差を含む方法。
【請求項２】
前記有効チャネル品質情報を決定する過程は、
前記ビームフォーミング利得補償情報に基づいて、前記測定されたチャネル品質情報に対応する前記基準信号の前記第１ビームフォーミング利得を補償することによって、前記第２ビームフォーミング利得を獲得する過程と、
前記第２ビームフォーミング利得に基づいて前記有効チャネル品質情報を決定する過程と、を含み、
前記第２ビームフォーミング利得は、
制御チャネル又はデータチャネルを伝送するために用いられる請求項１に記載の方法。
【請求項３】
前記有効チャネル品質情報を前記基地局に伝送する過程をさらに含む請求項１に記載の方法。
【請求項４】
前記有効チャネル品質情報は、ＭＣＳ（ｍｏｄｕｌａｔｉｏｎ  ａｎｄ  ｃｏｄｉｎｇ  ｓｃｈｅｍｅ）レベルを含む請求項１に記載の方法。
【請求項５】
ビームフォーミングを使用する無線通信システムの端末装置の動作方法において、
複数のダウンリンク送信ビームを用いて伝送される基準信号を受信する過程と、
前記受信された基準信号のチャネル品質情報を測定する過程と、
前記チャネル品質情報を基地局に伝送する過程と、を含む方法。
【請求項６】
複数のアップリンク送信ビームを用いて基準信号を伝送する過程と、
前記伝送した基準信号に応答する有効チャネル品質情報を受信する過程と、を含み、
前記有効チャネル品質情報は、
前記伝送された基準信号に対する受信チャネル品質情報をビームフォーミング利得補償情報によって補償したチャネル品質情報である請求項５に記載の方法。
【請求項７】
前記チャネル品質情報を基地局に伝送する過程は、
前記受信した基準信号のチャネル品質情報測定結果によって選択された基準信号に対するチャネル品質情報を前記基地局に伝送する過程を含む請求項５に記載の方法。
【請求項８】
ビームフォーミングを使用する無線通信システムの端末装置において、
基地局からビームフォーミング利得補償情報を受信し、複数のダウンリンク送信ビームを用いて伝送される基準信号を受信する受信部と、
前記受信された基準信号に基づいてチャネル品質情報を測定し、前記測定されたチャネル品質情報及び前記ビームフォーミング利得補償情報に基づいて有効チャネル品質情報を決定する制御部と、を含み、
前記ビームフォーミング利得補償情報は、
前記基準信号の第１ビームフォーミング利得とデータ伝送に対する第２ビームフォーミング利得の間の差を含む装置。
【請求項９】
前記制御部は、前記ビームフォーミング利得補償情報に基づいて、前記測定されたチャネル品質情報に対応する前記基準信号の前記第１ビームフォーミング利得を補償することによって、前記第２ビームフォーミング利得を獲得し、前記第２ビームフォーミング利得に基づいて前記有効チャネル品質情報を決定し、
前記第２ビームフォーミング利得は、制御チャネル又はデータチャネルを伝送するために用いられる請求項８に記載の装置。
【請求項１０】
前記決定された有効チャネル品質情報を前記基地局に伝送する伝送部をさらに含む請求項８に記載の装置。
【請求項１１】
前記有効チャネル品質情報は、ＭＣＳ（ｍｏｄｕｌａｔｉｏｎ  ａｎｄ  ｃｏｄｉｎｇ  ｓｃｈｅｍｅ）レベルを含む請求項８に記載の装置。
【請求項１２】
ビームフォーミングを使用する無線通信システムの端末装置において、
複数のダウンリンク送信ビームを用いて伝送される基準信号を受信する受信部と、
前記受信された基準信号のチャネル品質情報を測定する制御部と、
前記チャネル品質情報を基地局に伝送する伝送部と、を含む装置。
【請求項１３】
前記伝送部は、複数のアップリンク送信ビームを用いて基準信号を伝送し、
前記受信部は、前記伝送した基準信号に応答する有効チャネル品質情報を受信し、
前記有効チャネル品質情報は、
前記伝送された基準信号に対する受信チャネル品質情報をビームフォーミング利得補償情報によって補償したチャネル品質情報である請求項１２に記載の装置。
【請求項１４】
前記伝送部は、
前記チャネル品質情報を基地局に伝送する時、
前記受信された基準信号のチャネル品質情報測定結果によって選択された基準信号に対するチャネル品質情報を前記基地局に伝送する請求項１２に記載の装置。
【請求項１５】
ビームフォーミングを使用する無線通信システムの基地局装置の動作方法において、
ビームフォーミング利得補償情報を端末に伝送する過程と、
複数のダウンリンク送信ビームを用いて基準信号を伝送する過程と、
前記ビームフォーミング利得補償情報及び前記基準信号に基づいて決定された有効チャネル品質情報を受信する過程と、を含み、
前記ビームフォーミング利得補償情報は、
前記基準信号の第１ビームフォーミング利得とデータ伝送に対する第２ビームフォーミング利得の間の差を含む方法。
【請求項１６】
前記有効チャネル品質情報は、ＭＣＳ（ｍｏｄｕｌａｔｉｏｎ  ａｎｄ  ｃｏｄｉｎｇ  ｓｃｈｅｍｅ）レベルをさらに含む請求項１５に記載の方法。
【請求項１７】
前記第２ビームフォーミング利得は、制御チャネル又はデータチャネルを伝送するために用いられる請求項１５に記載の方法。
【請求項１８】
ビームフォーミングを使用する無線通信システムにおける基地局装置において、
端末にビームフォーミング利得補償情報を伝送し、複数のダウンリンク送信ビームを用いて基準信号を伝送する伝送部と、
前記基準信号及び前記ビームフォーミング利得補償情報に基づいて決定された有効チャネル品質情報を受信する受信部と、を含み、
前記ビームフォーミング利得補償情報は、
前記基準信号の第１ビームフォーミング利得とデータ伝送に対する第２ビームフォーミング利得の差を含む装置。
【請求項１９】
前記有効チャネル品質情報は、ＭＣＳ（ｍｏｄｕｌａｔｉｏｎ  ａｎｄ  ｃｏｄｉｎｇ  ｓｃｈｅｍｅ）レベルを含む請求項１８に記載の装置。
【請求項２０】
前記第２ビームフォーミング利得は、制御チャネル又はデータチャネルを伝送するために用いられる請求項１８に記載の装置。
【請求項２１】
ビームフォーミングを使用する無線通信システムにおける基地局装置の動作方法において、
複数のダウンリンク送信ビームを用いて基準信号を伝送する過程と、
前記伝送された基準信号に対するチャネル品質情報を受信する過程と、
前記チャネル品質情報をビームフォーミング利得補償情報によって補償して有効チャネル品質情報を決定する過程と、を含む方法。
【請求項２２】
前記ビームフォーミング利得補償情報は、
前記基準信号のチャネル品質情報測定結果によって選択された基準信号のビーム利得を制御チャネル又はデータチャネルの伝送に使用されると仮定されるビーム利得で補償するための情報である請求項２１に記載の方法。
【請求項２３】
前記ビームフォーミング利得補償情報を端末に伝送する過程と、
前記決定された有効チャネル品質情報を端末に伝送する過程と、をさらに含む請求項２１に記載の方法。
【請求項２４】
複数のアップリンク送信ビームを用いて伝送された基準信号を受信する過程と、
前記受信した基準信号のチャネル品質情報を測定する過程と、
前記チャネル品質情報をビームフォーミング利得補償情報によって補償して有効チャネル品質情報を決定する過程と、をさらに含む請求項２１に記載の方法。
【請求項２５】
前記チャネル品質情報をビームフォーミング利得補償情報によって補償して有効チャネル品質情報を決定する過程は、
前記補償されたチャネル品質情報に該当するＭＣＳ（ｍｏｄｕｌａｔｉｏｎ  ａｎｄ  ｃｏｄｉｎｇ  ｓｃｈｅｍｅ）レベルを決定する過程をさらに含む請求項２４に記載の方法。
【請求項２６】
ビームフォーミングを使用する無線通信システムの基地局装置において、
複数のダウンリンク送信ビームを用いて基準信号を伝送する伝送部と、
前記伝送された基準信号に対するチャネル品質情報を受信する受信部と、
前記チャネル品質情報をビームフォーミング利得補償情報によって補償して有効チャネル品質情報を決定する制御部と、を含む装置。
【請求項２７】
前記ビームフォーミング利得補償情報は、
前記基準信号のチャネル品質情報測定結果によって選択された基準信号のビーム利得を制御チャネル又はデータチャネルの伝送に使用されると仮定されるビーム利得で補償するための情報である請求項２６に記載の装置。
【請求項２８】
前記伝送部は、前記ビームフォーミング利得補償情報を端末に伝送し、
前記決定された有効チャネル品質情報を端末に伝送する請求項２６に記載の装置。
【請求項２９】
前記受信部は、複数のアップリンク送信ビームを用いて伝送された基準信号を受信し、
前記制御部は、前記受信された基準信号のチャネル品質情報を測定して前記チャネル品質情報をビームフォーミング利得補償情報によって補償して有効チャネル品質情報を決定する請求項２６に記載の装置。
【請求項３０】
前記制御部は、
前記チャネル品質情報をビームフォーミング利得補償情報によって補償して有効チャネル品質情報を決定する時、
前記補償されたチャネル品質情報に該当するＭＣＳ（ｍｏｄｕｌａｔｉｏｎ  ａｎｄ  ｃｏｄｉｎｇ  ｓｃｈｅｍｅ）レベルを決定する請求項２９に記載の装置。